(57)【要約】  いくつかの態様では、ワイヤレス通信システムにおいてチャネルアクセスパラメータを構成するための方法は、アクセスポイントにおいて、複数の局のうちの局の第１のサブセットのための拡張分散チャネルアクセス（ＥＤＣＡ）パラメータを決定することを含み、局の第１のサブセットは、マルチユーザアップリンク送信を送信することが可能である。本方法は、ＥＤＣＡパラメータを含む情報要素を生成することをさらに含む。本方法は、情報要素が局の第１のサブセットによって復号可能であり、複数の局のうちの局の第２のサブセットによって復号可能でないような情報要素を送信することをさらに含む。
2019509658.tif 000002
【特許請求の範囲】
【請求項１】
ネットワーク中の通信のためのチャネルアクセスパラメータを選択するための方法であって、前記方法が、第１のワイヤレスデバイスにおいて、第２のワイヤレスデバイスとの通信のための拡張分散チャネルアクセス（ＥＤＣＡ）パラメータを選択することを備え、ここにおいて、前記ＥＤＣＡパラメータを選択することが、
スケジュールドアップリンク送信を受信する前記第１のワイヤレスデバイスの能力と、
マルチユーザアップリンク送信を送信する前記第２のワイヤレスデバイスの能力と
に基づく、方法。
【請求項２】
前記第１のワイヤレスデバイスがアクセスポイントと局とのうちの一方であり、前記第２のワイヤレスデバイスが前記アクセスポイントと前記局とのうちの他方である、請求項１に記載の方法。
【請求項３】
前記第２のワイヤレスデバイスに前記選択されたＥＤＣＡパラメータのインジケーションを送信することと、
前記選択されたＥＤＣＡパラメータが性能特性を満たすかどうかを決定することと、
前記選択されたＥＤＣＡが前記性能特性を満たさないとき、第２のＥＤＣＡパラメータを選択することと
をさらに備える、請求項１に記載の方法。
【請求項４】
前記第２のＥＤＣＡパラメータを選択することが、前記第２のワイヤレスデバイスから前記第１のワイヤレスデバイスへの前の送信に基づく、請求項３に記載の方法。
【請求項５】
前記第２のＥＤＣＡパラメータを選択することが、前記第２のワイヤレスデバイスに送信された前記インジケーションに対する即時応答を受信することに基づく、請求項３に記載の方法。
【請求項６】
前記第２のＥＤＣＡパラメータを選択することが、前記第２のワイヤレスデバイスに前記ＥＤＣＡパラメータの前記選択のインジケーションを複数回送信した後に、前記第２のワイヤレスデバイスから応答を受信することに失敗することに基づく、請求項３に記載の方法。
【請求項７】
情報要素を生成することをさらに備え、前記情報要素が可変長のビットを備え、ここにおいて、前記可変長のビットが、サービスプロバイダおよび信号のタイプのうちの少なくとも１つに基づく、請求項１に記載の方法。
【請求項８】
前記ＥＤＣＡパラメータを選択することが、前記第２のワイヤレスデバイスのタイプに基づいて前記ＥＤＣＡパラメータを選択することをさらに備える、請求項１に記載の方法。
【請求項９】
前記第２のワイヤレスデバイスをワイヤレスデバイスのサブセットに分類することをさらに備え、ワイヤレスデバイスの前記サブセットがワイヤレスデバイスの複数のサブセットのうちの１つであり、ここにおいて、前記分類が、前記第２のワイヤレスデバイスのタイプと前記第２のワイヤレスデバイスのマルチユーザアップリンク能力とに基づく、請求項１に記載の方法。
【請求項１０】
前記第１のワイヤレスデバイスにおいて、ワイヤレスデバイスの前記サブセットに基づいて前記第２のワイヤレスデバイスとの通信のための前記ＥＤＣＡパラメータを選択することをさらに備える、請求項９に記載の方法。
【請求項１１】
前記ＥＤＣＡパラメータが、最小競合ウィンドウ（ＣＷｍｉｎ）と、最大競合ウィンドウ（ＣＷｍａｘ）と、送信機会（ＴＸＯＰ）と、送信機会限度（ＴＸＯＰ限度）と、アービトレーションフレーム間間隔（ＡＩＦＳ）とのうちの少なくとも１つを備える、請求項１に記載の方法。
【請求項１２】
前記第１のワイヤレスデバイスが前記ＥＤＣＡパラメータに前記第１のワイヤレスデバイスのための１つまたは複数のルールを付加する、請求項１に記載の方法。
【請求項１３】
前記第２のワイヤレスデバイスが、シングルユーザアップリンク送信を送るように、前記マルチユーザアップリンク送信を介して前記第１のワイヤレスデバイスによってトリガされる、請求項１に記載の方法。
【請求項１４】
前記第２のワイヤレスデバイスが非高スループットモードと超高スループットモードとのうちの少なくとも１つで動作する、請求項１３に記載の方法。
【請求項１５】
前記第１のワイヤレスデバイスによって、情報要素を介して前記ＥＤＣＡパラメータを広告することをさらに備え、ここにおいて、前記情報要素が、要素識別フィールドと、長さフィールドと、別の情報フィールドと、拡張フィールドとのうちの少なくとも１つを含む、請求項１に記載の方法。
【請求項１６】
第１のワイヤレスデバイスにおいて、第２のワイヤレスデバイスとの通信のための拡張分散チャネルアクセス（ＥＤＣＡ）パラメータを選択するように構成された処理システム
を備え、ここにおいて、前記ＥＤＣＡパラメータを選択することが、
スケジュールドアップリンク送信アップリンク送信を受信する前記第１のワイヤレスデバイスの能力と、
マルチユーザアップリンク送信を送信する前記第２のワイヤレスデバイスの能力と
に基づく、ワイヤレス通信のための装置。
【請求項１７】
前記第２のワイヤレスデバイスに前記ＥＤＣＡパラメータの前記選択のインジケーションを送信するように構成された送信機をさらに備える、請求項１６に記載の装置。
【請求項１８】
前記処理システムが、スケジュールドアップリンク送信アップリンク送信を受信する前記第１のワイヤレスデバイスの能力と、マルチユーザアップリンク送信を送信する前記第２のワイヤレスデバイスの能力とに基づいて前記ＥＤＣＡパラメータを選択するようにさらに構成された、請求項１６に記載の装置。
【請求項１９】
前記ＥＤＣＡパラメータを選択することが、前記第２のワイヤレスデバイスのタイプに基づいて前記ＥＤＣＡパラメータを選択することをさらに備える、請求項１６に記載の装置。
【請求項２０】
前記処理システムが、前記第２のワイヤレスデバイスをワイヤレスデバイスのサブセットに分類するようにさらに構成され、ワイヤレスデバイスの前記サブセットがワイヤレスデバイスの複数のサブセットのうちの１つであり、ここにおいて、前記分類が、前記第２のワイヤレスデバイスのタイプと前記第２のワイヤレスデバイスのマルチユーザアップリンク能力とに基づく、請求項１６に記載の装置。
【請求項２１】
前記ＥＤＣＡパラメータが、ワイヤレスデバイスの前記サブセットに基づいて選択される、請求項２０に記載の装置。
【請求項２２】
前記ＥＤＣＡパラメータが、最小競合ウィンドウ（ＣＷｍｉｎ）と、最大競合ウィンドウ（ＣＷｍａｘ）と、送信機会（ＴＸＯＰ）と、送信機会限度（ＴＸＯＰ限度）と、アービトレーションフレーム間間隔（ＡＩＦＳ）とのうちの少なくとも１つを備える、請求項１６に記載の装置。
【請求項２３】
前記第１のワイヤレスデバイスが前記ＥＤＣＡパラメータに前記第１のワイヤレスデバイスのための１つまたは複数のルールを付加する、請求項１６に記載の装置。
【請求項２４】
前記第２のワイヤレスデバイスが、シングルユーザアップリンク送信を送るように、前記マルチユーザアップリンク送信を介して前記第１のワイヤレスデバイスによってトリガされる、請求項１６に記載の装置。
【請求項２５】
前記第２のワイヤレスデバイスが非高スループットモードと超高スループットモードとのうちの少なくとも１つで動作する、請求項２４に記載の装置。
【請求項２６】
前記処理システムが、前記第１のワイヤレスデバイスによって、情報要素を介して前記ＥＤＣＡパラメータを広告するようにさらに構成され、ここにおいて、前記情報要素が、要素識別フィールドと、長さフィールドと、別の情報フィールドと、拡張フィールドとのうちの少なくとも１つを含む、請求項１６に記載の装置。
【請求項２７】
実行されたとき、装置に、第１のワイヤレスデバイスにおいて、第２のワイヤレスデバイスとの通信のための拡張分散チャネルアクセス（ＥＤＣＡ）パラメータを選択させるコードを備える非一時的コンピュータ可読媒体であって、ここにおいて、前記ＥＤＣＡパラメータを選択することが、
スケジュールドアップリンク送信を受信する前記第１のワイヤレスデバイスの能力と、
マルチユーザアップリンク送信を送信する前記第２のワイヤレスデバイスの能力と
に基づく、非一時的コンピュータ可読媒体。
【請求項２８】
実行されたとき、前記装置に、前記第１のワイヤレスデバイスによって、情報要素を介して前記ＥＤＣＡパラメータを広告させるコードをさらに備え、ここにおいて、前記情報要素が、要素識別フィールドと、長さフィールドと、別の情報フィールドと、拡張フィールドとのうちの少なくとも１つを含む、請求項２７に記載の非一時的コンピュータ可読媒体。
【請求項２９】
実行されたとき、前記装置に、前記第２のワイヤレスデバイスに前記ＥＤＣＡパラメータの前記選択のインジケーションを送信させるコードをさらに備える、請求項２７に記載の非一時的コンピュータ可読媒体。
【請求項３０】
実行されたとき、前記装置に、前記第２のワイヤレスデバイスをワイヤレスデバイスのサブセットに分類させるコードをさらに備え、ワイヤレスデバイスの前記サブセットがワイヤレスデバイスの複数のサブセットのうちの１つであり、ここにおいて、前記分類が、前記第２のワイヤレスデバイスのタイプと前記第２のワイヤレスデバイスのマルチユーザアップリンク能力とに基づく、請求項２７に記載の非一時的コンピュータ可読媒体。
【発明の詳細な説明】
【技術分野】
【０００１】
[0001]本出願は、一般にワイヤレス通信に関し、より詳細には、マルチユーザ（ＭＵ：multi-user）送信のための拡張分散チャネルアクセス（ＥＤＣＡ：enhanced distributed channel access）パラメータを選択するための方法および装置に関する。
【背景技術】
【０００２】
[0002]通信ネットワークは、デバイスの間でメッセージを交換するために使用される。ワイヤレスネットワークは、しばしば、ネットワーク要素がモバイルであり、したがって動的接続性の必要を有するときに、またはネットワークアーキテクチャが、固定ではなくアドホックなトポロジーで形成される場合に好適である。ワイヤレスネットワークにおけるデバイスは、拡張分散チャネルアクセス（ＥＤＣＡ）など、チャネルアクセスプロトコルに基づいて情報を送信／受信し得る。ＥＤＣＡは、ベストエフォート、バックグラウンド、ビデオ、およびボイスオーバーワイヤレスローカルアクセスネットワーク（ＷＬＡＮ）（ＶｏＷＬＡＮ：voice over wireless local access network）を含み得る、別個のデータトラフィックアクセスカテゴリーを定義する。たとえば、電子メールの送信または受信に関連付けられたデータトラフィックは、低い優先度クラスを割り当てられ得、ＶｏＷＬＡＮは、高い優先度クラスを割り当てられ得る。ＥＤＣＡを利用すると、高優先度データトラフィックをもつ局が、低優先度データトラフィックをもつ局よりも、平均して、そのようなデータパケットを送る前に少ない時間の間待つので、高優先度データトラフィックは、低優先度データトラフィックよりも送られる機会を多く有する。
【０００３】
[0003]ワイヤレスネットワークは、しばしば、ネットワーク要素がモバイルであり、したがって動的接続性の必要を有するときに、またはネットワークアーキテクチャが、固定ではなくアドホックなトポロジーで形成される場合に好適である。ワイヤレスネットワークは、無線、マイクロ波、赤外線、光などの周波数帯域中の電磁波を使用する非誘導伝搬モードでは、無形物理媒体を採用する。ワイヤレスネットワークは、有利には、固定ワイヤードネットワークと比較して、ユーザモビリティと迅速なフィールド展開とを可能にする。
【０００４】
[0004]ワイヤレス通信システムのために要求される増加する帯域幅要件という問題に対処するために、複数のユーザ端末（ＵＴ）が、高いデータスループットを達成しながら、チャネルリソースを共有することによって単一のアクセスポイントと通信することを可能にするために、異なる方式が開発されている。限られた通信リソースの場合、アクセスポイントと複数の端末との間を通るトラフィックの量を低減することが望ましい。たとえば、複数の端末がアクセスポイントにアップリンク通信を送るとき、すべての送信のアップリンクを完了するためのトラフィックの量を最小限に抑えることが望ましい。したがって、複数の端末からのアップリンク送信のための改善されたプロトコルが必要である。
【発明の概要】
【０００５】
[0005]本発明のシステム、方法、およびデバイスは、それぞれいくつかの態様を有し、それらのうちの単一の態様が単独で本発明の望ましい属性を担当するとは限らない。次に、以下の特許請求の範囲によって表される本発明の範囲を限定することなしに、いくつかの特徴について手短に説明する。この説明を考察すれば、特に「発明を実施するための形態」と題するセクションを読めば、本発明の特徴が、ワイヤレスネットワークにおけるアクセスポイントと局との間の改善された通信を含む利点をどのように提供するかが理解されよう。
【０００６】
[0006]本開示の一態様は、ネットワーク中の通信のためのチャネルアクセスパラメータを選択するための方法を提供し、本方法は、第１のワイヤレスデバイスにおいて、第２のワイヤレスデバイスとの通信のための拡張分散チャネルアクセス（ＥＤＣＡ）パラメータを選択することを備え、ここにおいて、ＥＤＣＡパラメータを選択することは、スケジュールドアップリンク送信を受信する第１のワイヤレスデバイスの能力と、マルチユーザアップリンク送信を送信する第２のワイヤレスデバイスの能力とに基づく。
【０００７】
[0007]いくつかの実施形態では、本方法は、第２のワイヤレスデバイスにＥＤＣＡパラメータの選択のインジケーションを送信することを含み得る。いくつかの実施形態では、第１のワイヤレスデバイスはアクセスポイントと局とのうちの一方であり、第２のワイヤレスデバイスはアクセスポイントと局とのうちの他方である。いくつかの実施形態では、ＥＤＣＡパラメータを選択することは、第２のワイヤレスデバイスから第１のワイヤレスデバイスへの前の送信に基づく。いくつかの実施形態では、ＥＤＣＡパラメータを選択することは、第２のワイヤレスデバイスに送信されたインジケーションに対する即時応答を受信することに基づく。いくつかの実施形態では、第２のワイヤレスデバイスとの通信のための第２のＥＤＣＡパラメータを選択することは、第２のワイヤレスデバイスに送信されたインジケーションに対する即時応答を受信してから経過した時間に基づく。いくつかの実施形態では、本方法は、情報要素を生成することを含み得、情報要素は可変長のビットを備え、ここにおいて、可変長のビットは、信号のタイプとサービスプロバイダとのうちの少なくとも１つに基づく。いくつかの実施形態では、ＥＤＣＡパラメータを選択することは、第２のワイヤレスデバイスのタイプに基づいてＥＤＣＡパラメータを選択することをさらに備える。いくつかの実施形態では、本方法は、第２のワイヤレスデバイスをワイヤレスデバイスのサブセットに分類することを含み得、ワイヤレスデバイスのサブセットはワイヤレスデバイスの複数のサブセットのうちの１つであり、ここにおいて、分類は、第２のワイヤレスデバイスのタイプと第２のワイヤレスデバイスのマルチユーザアップリンク能力とに基づく。いくつかの実施形態では、本方法は、第１のワイヤレスデバイスにおいて、ワイヤレスデバイスのサブセットに基づいて第２のワイヤレスデバイスとの通信のためのＥＤＣＡパラメータを選択することを含み得る。いくつかの実施形態では、ＥＤＣＡパラメータは、最小競合ウィンドウ（ＣＷｍｉｎ：minimum contention window）と、最大競合ウィンドウ（ＣＷｍａｘ：maximum contention window）と、送信機会（ＴＸＯＰ：transmit opportunity）と、送信機会限度（ＴＸＯＰ限度）と、アービトレーションフレーム間間隔（ＡＩＦＳ：arbitration inter frame space）とのうちの少なくとも１つを備える。いくつかの実施形態では、第１のワイヤレスデバイスはＥＤＣＡパラメータに第１のワイヤレスデバイスのための１つまたは複数のルールを付加する。いくつかの実施形態では、第２のワイヤレスデバイスは、シングルユーザアップリンク送信を送るように、マルチユーザアップリンク送信を介して第１のワイヤレスデバイスによってトリガされる。いくつかの実施形態では、第２のワイヤレスデバイスは非高スループットモードと超高スループットモードとのうちの少なくとも１つで動作する。いくつかの実施形態では、本方法は、第１のワイヤレスデバイスによって、情報要素を介してＥＤＣＡパラメータを広告することを含み得、ここにおいて、情報要素は、要素識別フィールドと、長さフィールドと、別の情報フィールドと、拡張フィールドとのうちの少なくとも１つを含む。
【０００８】
[0008]本開示の別の態様は、第１のワイヤレスデバイスにおいて、第２のワイヤレスデバイスとの通信のための拡張分散チャネルアクセス（ＥＤＣＡ）パラメータを選択するように構成された処理システムを備えるワイヤレス通信のための装置であって、ここにおいて、ＥＤＣＡパラメータを選択することは、スケジュールドアップリンク送信アップリンク送信を受信する第１のワイヤレスデバイスの能力と、マルチユーザアップリンク送信を送信する第２のワイヤレスデバイスの能力とに基づく、ワイヤレス通信のための装置である。
【０００９】
[0009]いくつかの実施形態では、本装置は、第２のワイヤレスデバイスにＥＤＣＡパラメータの選択のインジケーションを送信するように構成された送信機を含み得る。いくつかの実施形態では、ここにおいて、処理システムは、スケジュールドアップリンク送信アップリンク送信を受信する第１のワイヤレスデバイスの能力と、マルチユーザアップリンク送信を送信する第２のワイヤレスデバイスの能力とに基づいてＥＤＣＡパラメータを選択するようにさらに構成される。いくつかの実施形態では、ＥＤＣＡパラメータを選択することは、第２のワイヤレスデバイスのタイプに基づいてＥＤＣＡパラメータを選択することをさらに備える。いくつかの実施形態では、処理システムは、第２のワイヤレスデバイスをワイヤレスデバイスのサブセットに分類するようにさらに構成され、ワイヤレスデバイスのサブセットはワイヤレスデバイスの複数のサブセットのうちの１つであり、ここにおいて、分類は、第２のワイヤレスデバイスのタイプと第２のワイヤレスデバイスのマルチユーザアップリンク能力とに基づく。いくつかの実施形態では、ＥＤＣＡパラメータは、ワイヤレスデバイスのサブセットに基づいて選択される。いくつかの実施形態では、ＥＤＣＡパラメータは、最小競合ウィンドウ（ＣＷｍｉｎ）と、最大競合ウィンドウ（ＣＷｍａｘ）と、送信機会（ＴＸＯＰ）と、送信機会限度（ＴＸＯＰ限度）と、アービトレーションフレーム間間隔（ＡＩＦＳ）とのうちの少なくとも１つを備える。いくつかの実施形態では、第１のワイヤレスデバイスはＥＤＣＡパラメータに第１のワイヤレスデバイスのための１つまたは複数のルールを付加する。いくつかの実施形態では、第２のワイヤレスデバイスは、シングルユーザアップリンク送信を送るように、マルチユーザアップリンク送信を介して第１のワイヤレスデバイスによってトリガされる。いくつかの実施形態では、第２のワイヤレスデバイスは非高スループットモードと超高スループットモードとのうちの少なくとも１つで動作する。いくつかの実施形態では、プロセッサシステムは、第１のワイヤレスデバイスによって、情報要素を介してＥＤＣＡパラメータを広告し得、ここにおいて、情報要素は、要素識別フィールドと、長さフィールドと、別の情報フィールドと、拡張フィールドとのうちの少なくとも１つを含む。
【００１０】
[0010]本開示の別の態様は、実行されたとき、装置に、第１のワイヤレスデバイスにおいて、第２のワイヤレスデバイスとの通信のための拡張分散チャネルアクセス（ＥＤＣＡ）パラメータを選択させるコードを備える非一時的コンピュータ可読媒体であり、ここにおいて、ＥＤＣＡパラメータを選択することは、スケジュールドアップリンク送信を受信する第１のワイヤレスデバイスの能力と、マルチユーザアップリンク送信を送信する第２のワイヤレスデバイスの能力とに基づく。
【００１１】
[0011]いくつかの実施形態では、実行されたとき、装置に、第１のワイヤレスデバイスにおいて、第２のワイヤレスデバイスとの通信のための拡張分散チャネルアクセス（ＥＤＣＡ）パラメータを選択させるコードを備え、ここにおいて、ＥＤＣＡパラメータを選択することが、スケジュールドアップリンク送信を受信する第１のワイヤレスデバイスの能力と、マルチユーザアップリンク送信を送信する第２のワイヤレスデバイスの能力とに基づく、非一時的コンピュータ可読媒体。いくつかの実施形態では、実行されたとき、装置に、第１のワイヤレスデバイスによって、情報要素を介してＥＤＣＡパラメータを広告させるコードを備え、ここにおいて、情報要素が、要素識別フィールドと、長さフィールドと、別の情報フィールドと、拡張フィールドとのうちの少なくとも１つを含む、非一時的コンピュータ可読媒体。いくつかの実施形態では、実行されたとき、装置に、第２のワイヤレスデバイスにＥＤＣＡパラメータの選択のインジケーションを送信させるコードを備える、非一時的コンピュータ可読媒体。いくつかの実施形態では、実行されたとき、装置に、第２のワイヤレスデバイスをワイヤレスデバイスのサブセットに分類させるコードを備え、ワイヤレスデバイスのサブセットがワイヤレスデバイスの複数のサブセットのうちの１つであり、ここにおいて、分類が、第２のワイヤレスデバイスのタイプと第２のワイヤレスデバイスのマルチユーザアップリンク能力とに基づく、非一時的コンピュータ可読媒体。
【図面の簡単な説明】
【００１２】
【図１】[0012]本開示の態様が採用され得るワイヤレス通信システムの一例を示す図。
【図２】[0013]図１のワイヤレス通信システム内で採用され得るワイヤレスデバイスにおいて利用され得る様々な構成要素を示す図。
【図３】[0014]情報要素の例示的な実装形態を示す図。
【図４】[0015]ＥＤＣＡパラメータセット情報要素の別の例示的な実装形態を示す図。
【図５】[0016]ワイヤレス通信システムにおけるワイヤレス通信の例示的な方法のフローチャート。
【発明を実施するための形態】
【００１３】
[0017]添付の図面を参照しながら、新規のシステム、装置、および方法の様々な態様が以下でより十分に説明される。ただし、本開示は、多くの異なる形態で実施され得、本開示全体にわたって提示される任意の特定の構造または機能に限定されるものと解釈されるべきではない。むしろ、これらの態様は、本開示が周到で完全になり、本開示の範囲を当業者に十分に伝えるように与えられる。本明細書の教示に基づいて、本開示の範囲は、本発明の他の態様とは無関係に実装されるにせよ、本発明の他の態様と組み合わせられるにせよ、本明細書で開示される新規のシステム、装置、および方法のいかなる態様をもカバーするものであることを、当業者は諒解されたい。たとえば、本明細書に記載される態様をいくつ使用しても、装置は実装され得、または方法は実施され得る。さらに、本発明の範囲は、本明細書に記載される本発明の様々な態様に加えてまたはそれらの態様以外に、他の構造、機能、または構造および機能を使用して実施されるそのような装置または方法をカバーするものとする。本明細書で開示されるいかなる態様も請求項の１つまたは複数の要素によって実施され得ることを理解されたい。
【００１４】
[0018]本明細書では特定の態様が説明されるが、これらの態様の多くの変形および置換は本開示の範囲内に入る。好適な態様のいくつかの利益および利点が説明されるが、本開示の範囲は特定の利益、使用、または目的に限定されるものではない。むしろ、本開示の態様は、異なるワイヤレス技術、システム構成、ネットワーク、および伝送プロトコルに広く適用可能であるものとし、それらのうちのいくつかが、例として、図において、および好適な態様の以下の説明において示される。発明を実施するための形態および図面は、本開示を限定するものではなく説明するものにすぎず、本開示の範囲は添付の特許請求の範囲およびそれの均等物によって定義される。
【００１５】
[0019]普及しているワイヤレスネットワーク技術は、様々なタイプのワイヤレスローカルエリアネットワーク（ＷＬＡＮ）を含み得る。ＷＬＡＮは、広く使用されるネットワーキングプロトコルを採用して、近接デバイスを互いに相互接続するために使用され得る。本明細書で説明される様々な態様は、ワイヤレスプロトコルなど、任意の通信規格に適用され得る。
【００１６】
[0020]いくつかの態様では、ワイヤレス信号は、直交周波数分割多重（ＯＦＤＭ）、直接シーケンススペクトラム拡散（ＤＳＳＳ：direct-sequence spread spectrum）通信、ＯＦＤＭとＤＳＳＳ通信との組合せ、または他の方式を使用して、高効率８０２．１１プロトコルに従って送信され得る。いくつかの態様では、高効率８０２．１１プロトコルはＩＥＥＥ８０２．１１ａｘプロトコルまたは将来のプロトコルを備え得る。高効率８０２．１１プロトコルの実装形態は、インターネットアクセス、センサー、メータリング、スマートグリッドネットワーク、または他のワイヤレス適用例のために使用され得る。有利には、本明細書で開示される技法を使用して高効率８０２．１１プロトコルを実装するいくつかのデバイスの態様は、同じエリアにおける増加されたピアツーピアサービス（たとえば、Ｍｉｒａｃａｓｔ、ＷｉＦｉ  Ｄｉｒｅｃｔ（登録商標）  Ｓｅｒｖｉｃｅｓ、Ｓｏｃｉａｌ  ＷｉＦｉ（登録商標）など）を可能にすること、増加されたユーザごと最小スループット要件をサポートすること、より多くのユーザをサポートすること、改善された屋外カバレージとロバストネスとを与えること、および／または他のワイヤレスプロトコルを実装するデバイスよりも少ない電力を消費することを含み得る。
【００１７】
[0021]いくつかの実装形態では、ＷＬＡＮは、ワイヤレスネットワークにアクセスする構成要素である様々なデバイスを含む。たとえば、２つのタイプのデバイス、すなわちアクセスポイント（「ＡＰ」）および（局または「ＳＴＡ」とも呼ばれる）クライアントがあり得る。概して、ＡＰはＷＬＡＮのためのハブまたは基地局として働き得、ＳＴＡはＷＬＡＮのユーザとして働く。たとえば、ＳＴＡはラップトップコンピュータ、携帯情報端末（ＰＤＡ）、モバイルフォンなどであり得る。一例では、ＳＴＡは、インターネットまたは他のワイドエリアネットワークへの一般的接続性を得るために、ＷｉＦｉ（たとえば、ＩＥＥＥ８０２．１１プロトコル）準拠ワイヤレスリンクを介してＡＰに接続する。いくつかの実装形態では、ＳＴＡはＡＰとして使用されることもある。
【００１８】
[0022]また、アクセスポイント（「ＡＰ」）は、ノードＢ、無線ネットワークコントローラ（「ＲＮＣ」）、ｅノードＢ、基地局コントローラ（「ＢＳＣ」）、基地トランシーバ局（「ＢＴＳ」）、基地局（「ＢＳ」）、トランシーバ機能（「ＴＦ」）、無線ルータ、無線トランシーバ、または何らかの他の用語を備えるか、それらのいずれかとして実装されるか、あるいはそれらのいずれかとして知られていることがある。
【００１９】
[0023]また、局「ＳＴＡ」は、アクセス端末（「ＡＴ」）、加入者局、加入者ユニット、移動局、リモート局、リモート端末、ユーザ端末、ユーザエージェント、ユーザデバイス、ユーザ機器、または何らかの他の用語を備えるか、それらのいずれかとして実装されるか、あるいはそれらのいずれかとして知られていることがある。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、またはワイヤレスモデムに接続された何らかの他の好適な処理デバイスを備え得る。したがって、本明細書で教示される１つまたは複数の態様は、電話（たとえば、セルラーフォンまたはスマートフォン）、コンピュータ（たとえば、ラップトップ）、ポータブル通信デバイス、ヘッドセット、ポータブルコンピューティングデバイス（たとえば、個人情報端末）、エンターテインメントデバイス（たとえば、音楽またはビデオデバイス、あるいは衛星ラジオ）、ゲームデバイスまたはシステム、全地球測位システムデバイス、あるいはワイヤレス媒体を介して通信するように構成された他の好適なデバイスに組み込まれ得る。
【００２０】
[0024]上記で説明されたように、本明細書で説明されるデバイスのうちのいくつかは、たとえば、高効率８０２．１１規格を実装し得る。そのようなデバイスは、ＳＴＡとして使用されるにせよ、ＡＰとして使用されるにせよ、他のデバイスとして使用されるにせよ、スマートメータリングのためにまたはスマートグリッドネットワークにおいて使用され得る。そのようなデバイスは、センサー適用例を与えるか、またはホームオートメーションにおいて使用され得る。デバイスは、代わりにまたは追加として、ヘルスケアコンテキストにおいて、たとえばパーソナルヘルスケアのために使用され得る。それらのデバイスはまた、（たとえばホットスポットとともに使用するための）拡張された範囲のインターネット接続性を可能にするために、またはマシンツーマシン通信を実装するために、監視のために使用され得る。
【００２１】
[0025]図１は、本開示の態様が採用され得る例示的なワイヤレス通信システム１００を示す。ワイヤレス通信システム１００は、ワイヤレス規格、たとえば、高効率８０２．１１規格に従って動作し得る。ワイヤレス通信システム１００は、ＳＴＡ１０６ａ〜ｄと通信するＡＰ１０４を含み得る。
【００２２】
[0026]様々なプロセスおよび方法は、ＡＰ１０４とＳＴＡ１０６との間の、ワイヤレス通信システム１００における送信のために使用され得る。たとえば、信号は、ＯＦＤＭ／ＯＦＤＭＡまたはマルチユーザ多入力多出力（ＭＵ−ＭＩＭＯ）技法に従って、ＡＰ１０４とＳＴＡ１０６との間で送信および受信され得る。そうである場合、ワイヤレス通信システム１００はＯＦＤＭ／ＯＦＤＭＡまたはＭＵ−ＭＩＭＯシステムと呼ばれることがある。代替的に、信号は、符号分割多元接続（ＣＤＭＡ）技法に従って、ＡＰ１０４とＳＴＡ１０６との間で送信および受信され得る。そうである場合、ワイヤレス通信システム１００はＣＤＭＡシステムと呼ばれることがある。
【００２３】
[0027]ＡＰ１０４からＳＴＡ１０６のうちの１つまたは複数への送信を可能にする通信リンクはダウンリンク（ＤＬ）１０８と呼ばれることがあり、ＳＴＡ１０６のうちの１つまたは複数からＡＰ１０４への送信を可能にする通信リンクはアップリンク（ＵＬ）１１０と呼ばれることがある。代替的に、ダウンリンク１０８は順方向リンクまたは順方向チャネルと呼ばれることがあり、アップリンク１１０は逆方向リンクまたは逆方向チャネルと呼ばれることがある。
【００２４】
[0028]ＡＰ１０４は、基地局として働き、基本サービスエリア（ＢＳＡ）１０２においてワイヤレス通信カバレージを与え得る。ＡＰ１０４は、ＡＰ１０４に関連付けられ、通信のためにＡＰ１０４を使用するＳＴＡ１０６とともに、基本サービスセット（ＢＳＳ）と呼ばれることがある。ワイヤレス通信システム１００は、中央ＡＰ１０４を有しないことがあり、むしろ、ＳＴＡ１０６間のピアツーピアネットワークとして機能し得ることに留意されたい。したがって、本明細書で説明されるＡＰ１０４の機能は、代替的に、ＳＴＡ１０６のうちの１つまたは複数によって実行され得る。
【００２５】
[0029]いくつかの態様では、ＳＴＡ１０６は、ＡＰ１０４に通信を送るために、および／またはＡＰ１０４から通信を受信するために、ＡＰ１０４に関連付けることを必要とされ得る。一態様では、関連付けるための情報は、ＡＰ１０４によるブロードキャスト中に含まれる。そのようなブロードキャストを受信するために、ＳＴＡ１０６は、たとえば、カバレージ領域にわたって広カバレージ探索を実行し得る。また、探索は、ＳＴＡ１０６によって、たとえば、灯台方式でカバレージ領域を掃引することによって実行され得る。関連付けるための情報を受信した後に、ＳＴＡ１０６は、関連付けプローブまたは要求などの基準信号をＡＰ１０４に送信し得る。いくつかの態様では、ＡＰ１０４は、たとえば、インターネットまたは公衆交換電話網（ＰＳＴＮ）などのより大きいネットワークと通信するために、バックホールサービスを使用し得る。
【００２６】
[0030]一実施形態では、ＡＰ１０４は、ＡＰ高効率ワイヤレス構成要素（ＨＥＷＣ：high-efficiency wireless component）１５４を含む。ＡＰ  ＨＥＷＣ１５４は、高効率８０２．１１プロトコルを使用して、ＡＰ１０４とＳＴＡ１０６との間の通信を可能にするために、本明細書で説明される動作の一部または全部を実行し得る。ＡＰ  ＨＥＷＣ１５４のいくつかの実装形態の機能が、図２、図３、および図４に関して以下でより詳細に説明される。
【００２７】
[0031]代替的にまたは追加として、ＳＴＡ１０６はＳＴＡ  ＨＥＷＣ１５６を含み得る。ＳＴＡ  ＨＥＷＣ１５６は、高効率８０２．１１プロトコルを使用して、ＳＴＡ１０６とＡＰ１０４との間の通信を可能にするために、本明細書で説明される動作の一部または全部を実行し得る。
【００２８】
[0032]概して、通常８０２．１１プロトコル（たとえば、８０２．１１ａｘ、８０２．１１ａｈ、８０２．１１ａｃ、８０２．１１ａ、８０２．１１ｂ、８０２．１１ｇ、８０２．１１ｎなど）を使用するワイヤレスネットワークは、媒体アクセスのためのキャリア検知多重アクセス（ＣＳＭＡ：carrier sense multiple access）機構の下で動作する。ＣＳＭＡによれば、デバイスは、媒体を検知し、媒体がアイドルであることが検知されたときのみ送信する。したがって、ＡＰ１０４および／またはＳＴＡ１０６ａ〜ｄがＣＳＭＡ機構に従って動作しており、ＢＳＡ１０２中のデバイス（たとえば、ＡＰ１０４）がデータを送信している場合、いくつかの態様では、ＢＳＡ１０２の外部のＡＰおよび／またはＳＴＡは、それらが異なるＢＳＡの一部であっても、媒体上で送信しないことがある。
【００２９】
[0033]次いで、ＣＳＭＡ機構の使用は、ＢＳＡの外部のいくつかのＡＰまたはＳＴＡが、ＢＳＡ中のＡＰまたはＳＴＡによって行われる送信に干渉することなしにデータを送信することが可能であり得るので、非効率性を生じる。アクティブワイヤレスデバイスの数が増え続けるにつれて、非効率性は、ネットワークレイテンシおよびスループットに著しく影響を及ぼし始めることがある。たとえば、著しいネットワークレイテンシの問題は、各住戸が、アクセスポイントと、関連付けられた局とを含み得る、集合住宅において現れ得る。実際は、各住戸は、居住者が、ワイヤレスルータ、ワイヤレスメディアセンター能力をもつビデオゲームコンソール、ワイヤレスメディアセンター能力をもつテレビジョン、パーソナルホットスポットのように働くことができるセルフォンなどを所有し得るので、複数のアクセスポイントを含み得る。その場合、レイテンシおよびスループット問題と全体的なユーザの不満とを回避するために、ＣＳＭＡ機構の非効率性を是正することが不可欠であり得る。
【００３０】
[0034]そのようなレイテンシおよびスループット問題は、住宅地域に限定されないことがある。たとえば、複数のアクセスポイントが、空港、地下鉄の駅、および／または他の人口密度の高い公共の場に配置され得る。現在、ＷｉＦｉアクセスが、これらの公共の場において、有料であるが提供され得る。ＣＳＭＡ機構によって生じる非効率性が是正されない場合、料金およびより低いサービス品質が利益を上回り始めるので、ワイヤレスネットワークの事業者は顧客を失うことがある。
【００３１】
[0035]したがって、本明細書で説明される高効率８０２．１１プロトコルは、デバイスが、これらの非効率性を最小限に抑え、ネットワークスループットを増加させる修正された機構の下で動作することを可能し得る。そのような機構は図３〜図５に関して以下で説明される。高効率８０２．１１プロトコルの追加の態様が、図３〜図５に関して以下で説明される。
【００３２】
[0036]図２は、ワイヤレス通信システム１００内で採用され得るワイヤレスデバイス２０２において利用され得る様々な構成要素を示す。ワイヤレスデバイス２０２は、本明細書で説明される様々な態様を実装するように構成され得るデバイスの一例である。たとえば、ワイヤレスデバイス２０２は、ＡＰ１０４を構成するか、またはワイヤレスデバイス１０６ａ〜１０６ｄのうちの１つを構成し得る。
【００３３】
[0037]ワイヤレスデバイス２０２は、ワイヤレスデバイス２０２の動作を制御するプロセッサ２０４を含み得る。プロセッサ２０４は中央処理装置（ＣＰＵ）と呼ばれることもある。読取り専用メモリ（ＲＯＭ）とランダムアクセスメモリ（ＲＡＭ）の両方を含み得るメモリ２０６は、命令とデータとをプロセッサ２０４に与える。メモリ２０６の一部分は不揮発性ランダムアクセスメモリ（ＮＶＲＡＭ）をも含み得る。プロセッサ２０４は、一般に、メモリ２０６内に記憶されたプログラム命令に基づいて論理演算と算術演算とを実行する。メモリ２０６中の命令は、本明細書で説明される方法を実装するように実行可能であり得る。
【００３４】
[0038]プロセッサ２０４は、１つまたは複数のプロセッサを用いて実装された処理システムを備えるか、またはそれの構成要素であり得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、個別ハードウェア構成要素、専用ハードウェア有限状態機械、あるいは情報の計算または他の操作を実行することができる任意の他の好適なエンティティの任意の組合せを用いて実装され得る。
【００３５】
[0039]処理システムは、ソフトウェアを記憶するための非一時的機械可読媒体をも含み得る。ソフトウェアは、ソフトウェア、ファームウェア、ミドルウェア、マイクロコード、ハードウェア記述言語などの名称にかかわらず、任意のタイプの命令を意味すると広く解釈されたい。命令は、（たとえば、ソースコード形式、バイナリコード形式、実行可能コード形式、または任意の他の好適なコード形式の）コードを含み得る。命令は、１つまたは複数のプロセッサによって実行されたとき、本明細書で説明される様々な機能を処理システムに実行させる。
【００３６】
[0040]ワイヤレスデバイス２０２は、ワイヤレスデバイス２０２と遠隔ロケーションとの間のデータの送信および受信を可能にするために送信機２１０と受信機２１２とを含み得るハウジング２０８をも含み得る。送信機２１０と受信機２１２とは組み合わせられてトランシーバ２１４になり得る。アンテナ２１６は、ハウジング２０８に取り付けられ、トランシーバ２１４に電気的に結合され得る。ワイヤレスデバイス２０２は、たとえば、ＭＩＭＯ通信中に利用され得る、（図示されない）複数の送信機、複数の受信機、複数のトランシーバ、および／または複数のアンテナをも含み得る。
【００３７】
[0041]ワイヤレスデバイス２０２は、トランシーバ２１４によって受信された信号のレベルを検出し、定量化するために使用され得る、信号検出器２１８をも含み得る。信号検出器２１８は、そのような信号を、総エネルギー、シンボルごとのサブキャリア当たりのエネルギー、電力スペクトル密度および他の信号として検出し得る。ワイヤレスデバイス２０２は、信号を処理する際に使用するためのデジタル信号プロセッサ（ＤＳＰ）２２０をも含み得る。ＤＳＰ２２０は、送信のためのデータユニットを生成するように構成され得る。いくつかの態様では、データユニットは、物理レイヤコンバージェンスプロシージャ（ＰＬＣＰ：physical layer convergence procedure）プロトコルデータユニット（ＰＰＤＵ：PLCP protocol data unit）を備え得る。いくつかの態様では、ＰＰＤＵはパケットと呼ばれる。
【００３８】
[0042]ワイヤレスデバイス２０２は、いくつかの態様では、ユーザインターフェース２２２をさらに備え得る。ユーザインターフェース２２２は、キーパッド、マイクロフォン、スピーカー、および／またはディスプレイを備え得る。ユーザインターフェース２２２は、ワイヤレスデバイス２０２のユーザに情報を搬送し、および／またはそのユーザから入力を受信する、任意の要素または構成要素を含み得る。
【００３９】
[0043]ワイヤレスデバイス２０２は、いくつかの態様では、高効率ワイヤレス（ＨＥＷ：high-efficiency wireless）構成要素２５０をさらに備え得る。ＨＥＷ構成要素２５０は、ＡＰ  ＨＥＷＣ１５４および／またはＳＴＡ  ＨＥＷＣ１５６を備え得る。本明細書で説明されるように、ＨＥＷ構成要素２５０は、ＡＰおよび／またはＳＴＡが、ＣＳＭＡ機構の非効率性を最小限に抑える修正された機構を使用することを可能にし得る（たとえば、干渉が発生しないであろう状況において媒体上での同時通信を可能にする）。いくつかの態様では、ＡＰ  ＨＥＷＣ１５４は、ＳＴＡのタイプに基づいておよび／またはＳＴＡのＵＬ−ＭＵ能力に基づいて、ＥＤＣＡパラメータを選択し得る。たとえば、ＡＰ  ＨＥＷＣ１５４は、ＵＬ−ＭＵ送信を送信することが可能である、複数のＳＴＡのうちのＳＴＡの第１のサブセット（たとえば、８０２．１１ａｘ規格の下で動作するＳＴＡ）のための１つまたは複数のＥＤＣＡパラメータを選択し得、ＵＬ−ＭＵ送信を送信することが可能でない、複数のＳＴＡのうちのＳＴＡの第２のサブセット（たとえば、８０２．１１ａｃ以前の規格の下で動作するＳＴＡ）のための１つまたは複数のＥＤＣＡパラメータの異なるセットを選択し得る。いくつかの実施形態では、第１のサブセットおよび第２のサブセットは１つまたは複数のＳＴＡを備え得る。
【００４０】
[0044]ワイヤレスデバイス２０２の様々な構成要素はバスシステム２２６によって互いに結合され得る。バスシステム２２６は、たとえば、データバス、ならびに、データバスに加えて、電力バス、制御信号バス、およびステータス信号バスを含み得る。ワイヤレスデバイス２０２の構成要素は、何らかの他の機構を使用して、互いに結合されるか、あるいは互いに入力を受け付けるかまたは与え得ることを、当業者は諒解されよう。
【００４１】
[0045]図２には、いくつかの別個の構成要素が示されているが、構成要素のうちの１つまたは複数が組み合わせられ得るかまたは共通に実装され得ることを、当業者は認識されよう。たとえば、プロセッサ２０４は、プロセッサ２０４に関して上記で説明された機能を実装するためだけでなく、信号検出器２１８および／またはＤＳＰ２２０に関して上記で説明された機能を実装するためにも使用され得る。さらに、図２に示されている構成要素の各々は、複数の別個の要素を使用して実装され得る。
【００４２】
[0046]ワイヤレスネットワークでは、チャネルアクセスパラメータは、ワイヤレスネットワークを介して通信するデバイスによる伝送媒体（たとえば、ワイヤレスネットワーク）へのアクセスを制御するために定義され得る。伝送媒体は送信チャネルと呼ばれることもある。チャネルアクセスパラメータの例は、（限定はしないが）８０２．１１業界規格（たとえば、８０２．１１ａｘ）において拡張分散チャネルアクセス（ＥＤＣＡ）パラメータの一部として説明されるパラメータを含むことができる。チャネルアクセスパラメータのさらなる例は、（限定はしないが）、ＥＤＣＡパラメータの一部でもあり得る、最小競合ウィンドウ（ＣＷｍｉｎ）、最大競合ウィンドウ（ＣＷｍａｘ）、送信機会（ＴＸＯＰ）、送信機会限度（ＴＸＯＰ限度）、およびアービトレーションフレーム間間隔（ＡＩＦＳ）を含むことができる。
【００４３】
[0047]本開示のいくつかの態様は、複数のＳＴＡ１０６からＡＰ１０４または他のデバイスにアップリンク（ＵＬ）信号またはパケット１１０を送信することをサポートする。いくつかの実施形態では、ＵＬ信号１１０は、マルチユーザＭＩＭＯ（ＭＵ−ＭＩＭＯ）を使用して送信され得る。いくつかの実施形態では、ＵＬ信号１１０は、送信されるＵＬ−ＯＦＤＭＡであり得る。代替的に、ＵＬ信号１１０は、マルチキャリアＦＤＭＡ（ＭＣ−ＦＤＭＡ）または同様のＦＤＭＡシステム（たとえば、ＯＦＤＭＡ）において送信され得る。いくつかの態様では、ＭＵ−ＭＩＭＯ／ＯＦＤＭＡおよびＭＣ−ＦＤＭＡ送信は、複数のＳＴＡ１０６からＡＰ１０４への同時ＵＬ送信を備え、それはより一般的にはＵＬ−ＭＵ通信または送信と呼ばれることがある。いくつかの実施形態では、ＡＰ１０４は、ＵＬ−ＭＵ送信を可能にするためにＥＤＣＡパラメータを定義し得る。ＥＤＣＡパラメータは、（たとえば、関連付け／再関連付け応答メッセージ中のデータとして）関連付け／再関連付け中にＡＰ１０４から選択および送信されるか、またはビーコンフレーム中に含まれ得る。他の態様では、ＡＰ１０４は、ＭＵ送信のためのＥＤＣＡパラメータを選択することと、ＳＴＡに通知しないこととを選定し得る。一実施形態では、ＥＤＣＡパラメータは、ＩＥＥＥ８０２．１１規格（たとえば、８０２．１１ａｘ）において定義され得る。別の実施形態では、ＥＤＣＡパラメータは、ＡＰ１０４、ＳＴＡ１０６のサブセット、またはＳＴＡ１０６のタイプのための１つまたは複数のルールを付加することによって、ＩＥＥＥ８０２．１１規格において定義されているＥＤＣＡパラメータから拡張され得る。
【００４４】
[0048]ワイヤレス通信システム１００内にあり、同じワイヤレス媒体を求めて競合するワイヤレスデバイス２０２の数は、ＣＳＭＡ機構の性能に影響を及ぼすことがある。ネットワーク内で動作するデバイスの数が増加するにつれて、ＣＳＭＡ機構は、高密度ネットワークのための送信を適切にサポートすることが可能でないことがある。いくつかの態様では、複数のＳＴＡ１０６からＡＰ１０４に同時に送られるＵＬ−ＭＵ−ＭＩＭＯ送信またはＵＬ−ＯＦＤＭＡ送信は、ワイヤレス通信における効率性を生じ得る。しかしながら、いくつかの態様では、ＵＬ−ＭＵ−ＭＩＭＯ送信またはＵＬ−ＯＦＤＭＡ送信はまた、ＣＳＭＡベースのＵＬシングルユーザ（ＳＵ）送信と競合し得る。多数のＵＬ−ＳＵ送信または媒体のアクセスがあるとき、ＡＰ１０４は、複数のＵＬ−ＳＵ送信に対して競合する必要があることになり、それにより、潜在的な不公平、減少されたスループット、ＵＬ−ＭＵ送信への低減されたアクセス（およびいくつかの場合には枯渇）につながることがある。たとえば、図１を参照すると、いくつかの態様では、ＳＴＡ１０６ａおよび１０６ｂは、ＵＬ−ＳＵ信号１１０ａおよび１１０ｂを送信し得、ＳＴＡ１０６ｃおよび１０６ｄは、ＵＬ−ＭＵ信号１１０ｃおよび１１０ｄを送信し得る。ＳＴＡ１０６ａ〜ｄの各々は、ＵＬ信号１１０ａ〜ｄを送信するためにチャネルアクセスを求めて競合する。そのような競合は、ＩＥＥＥ８０２．１１規格（たとえば、８０２．１１ａｈ、または８０２．１１ａｃ）において指定されているように、ＥＤＣＡパラメータおよび／またはＥＤＣＡプロトコルに基づき得る。いくつかの実施形態では、ＵＬ−ＭＵ信号１１０ｃおよび１１０ｄ（たとえば、ＵＬ−ＭＵ−ＭＩＭＯまたはＵＬ−ＯＦＤＭＡ送信）は、ＡＰ１０４によってＳＴＡ１０６ｃおよび１０６ｄに送られるＵＬ−ＭＵトリガフレームに基づき得る。
【００４５】
[0049]いくつかの態様では、ＳＴＡ１０６ｃおよび１０６ｄは、ＡＰ１０４がＵＬ−ＳＵ信号１１０ａおよび１１０ｂにより、チャネル／媒体にアクセスすることができない時、延長時間期間の間、高効率（ＨＥ）ＵＬ−ＭＵ信号１１０ｃおよび１１０ｄを送信することができないことがある。また、それは、ＵＬ−ＭＵ送信を送信することが可能なＳＴＡ（たとえば、スケジュールドモード（scheduled mode）ＳＴＡ）のみがＵＬ−ＭＵ送信から恩恵を受けるので、同じＥＤＣＡパラメータが、ＵＬ−ＭＵ送信を送信することが可能なＳＴＡと、ＵＬ−ＭＵ送信を送信することが可能でないＳＴＡの両方のために使用される場合、ＵＬ−ＭＵ送信を送信することが可能でないＳＴＡ（たとえば、レガシーＳＴＡ）にとって不公平であり得る。
【００４６】
[0050]いくつかの実施形態では、ＡＰ１０４は、ＵＬ  ＭＵ送信を送信することが可能であり、それを送信する意思があるＳＴＡのためのＥＤＣＡパラメータを調整することによって、ＵＬ  ＳＵ送信を制限し得る。ＡＰ１０４は、スケジュールドアップリンク送信、またはＵＬ  ＭＵ送信を受信および／または送信するＳＴＡの能力に基づいて、ＳＴＡを分類し得る。たとえば、ＡＰ１０４は、（たとえば、ＭＵ−ＭＩＭＯ、ＵＬ  ＯＦＤＭＡまたは他のＵＬ−ＭＵ送信を介して）ＡＰ１０４によってトリガされることと、レガシー方法で送られることの両方が行われ得るＵＬフレームをもつＳＴＡ１０６を１つのサブセットに分類するが、レガシー方法で送られることのみが行われ得るＵＬフレームをもつＳＴＡ１０６を第２のサブセットに分類し得る。しかしながら、ビーコン中の既存のＥＤＣＡパラメータセットＩＥ中でブロードキャストされる調整されたＥＤＣＡパラメータは、搬送されるＥＤＣＡパラメータが、ＵＬ  ＭＵ送信を送信することが可能でないかまたはそれを送信する意思がないＳＴＡを対象としないことをそれらのＳＴＡが識別することができないので、それらのＳＴＡに影響を及ぼし得るために、問題は依然として存在し得る。いくつかの態様では、（たとえば、ＭＵ−ＭＩＭＯ、ＵＬ  ＯＦＤＭＡまたは他のＵＬ−ＭＵ送信を介して）ＡＰ１０４によってトリガされることと、レガシー方法（たとえば、ＣＳＭＡに基づくＵＬ  ＳＵフレーム）で送られることの両方が行われ得るＵＬフレームをもつＳＴＡ１０６は、スケジュールドモードＳＴＡと呼ばれることがある。ＳＵ  ＣＳＭＡベース送信中で送られることのみが行われ得るＵＬフレームをもつＳＴＡ１０６は、レガシーモードＳＴＡと呼ばれることがある。たとえば、レガシーモードＳＴＡは、８０２．１１ａｘ規格において定義されているものなど、トリガされた（たとえば、ＭＵ）ＵＬ送信をサポートしない、非高スループット（ＨＴ）、ＨＴ、超高スループット（ＶＨＴ）モードで動作し得る。いくつかの態様では、８０２．１１ａｘ  ＳＴＡは、それらの能力および／または意思に応じてスケジュールドモードまたはレガシーモードで動作することができる。いくつかの態様では、非８０２．１１ａｘ  ＳＴＡはレガシーモードでのみ動作することができる。いくつかの態様では、ＡＰ１０４は、ＡＰ１０４がＳＴＡ１０６からスケジュールドアップリンク送信を受信することが可能であるのかＵＬ  ＭＵ送信を受信することが可能であるのかに基づいて、ＥＤＣＡを選択し得る。
【００４７】
[0051]本明細書で説明される実施形態は、ＳＴＡの第２のサブセット（たとえば、レガシーモードＳＴＡ）のためのＥＤＣＡプロトコルおよび／またはパラメータとは異なるＳＴＡの第１のサブセット（たとえば、スケジュールドモードＳＴＡ）のためのＥＤＣＡプロトコルおよび／またはパラメータを選択することに関する。いくつかの態様では、異なるＥＤＣＡプロトコルおよび／またはパラメータは、レガシーモードＳＴＡのために設定されたものよりも、スケジュールドモードＳＴＡのためにより短い送信機会（ＴＸＯＰ）限度および／またはより大きい最小競合ウィンドウ（ＣＷｍｉｎ）を設定することを備え得る。本明細書で説明される実施形態はまた、ＳＴＡの第１のサブセット（たとえば、スケジュールドモードＳＴＡ）対ＳＴＡの第２のサブセット（たとえば、レガシーモードＳＴＡ）のためのＥＤＣＡパラメータをシグナリングするためのオプションに関する。
【００４８】
[0052]いくつかの実施形態では、ＡＰ１０４は、様々な方法でＳＴＡの第１のサブセット（たとえば、スケジュールドモードＳＴＡ）のためのＥＤＣＡパラメータ（たとえば、ＣＷ）を広告し得る。いくつかの態様では、ＡＰ１０４は、スケジュールドモードＥＤＣＡパラメータを搬送するために既存のＥＤＣＡパラメータセット情報要素（ＩＥ）とは異なるＩＥを送信し得る。
【００４９】
[0053]図３は、図１のワイヤレス通信システム１００内で採用され得る情報要素（ＩＥ）３００の例示的な実装形態を示す。様々な実施形態では、たとえば、ＡＰ１０４（図１）、ＳＴＡ１０６ａ〜１０６ｄ（図１）、および／またはワイヤレスデバイス２０２（図２）など、本明細書で説明されるデバイス、または別の互換性のあるデバイスは、情報要素３００を送信し得る。たとえば、ダウンリンク通信１０８およびアップリンク通信１１０など、ワイヤレス通信システム１００における１つまたは複数のメッセージは、情報要素３００を含み得る。
【００５０】
[0054]図示の実施形態では、情報要素３００は、要素識別（ＩＤ）フィールド３０２と、長さフィールド３０４と、別の情報フィールド３１０とを含む。情報要素３００は追加のフィールドを含み得、フィールドは並べ替えられ、削除され、および／またはリサイズされ得る。
【００５１】
[0055]いくつかの態様では、要素識別子（ＩＤ）フィールド３０２は要素のタイプを識別する。図示されている要素ＩＤフィールド３０２は１オクテット長であり得る。いくつかの実装形態では、要素識別子フィールド３０２は、２、５、または１２オクテット長であり得る。いくつかの実装形態では、要素識別子フィールド３０２は、信号ごとに、または信号のタイプで、ならびに／あるいは、サービスプロバイダ間で、およびサービスプロバイダのタイプで長さを変動させるなど、可変長であり得る。
【００５２】
[0056]いくつかの実施形態では、ＩＥ３００は、要素ＩＤフィールド３０２中に一意の値をもつＩＥ（たとえば、既存のＩＥとは異なるＩＥ）を備え得る。この新たに定義されたＩＥは、スケジュールドモードＥＤＣＡパラメータセットをＳＴＡの第１のサブセット（たとえば、スケジュールドモードＳＴＡ）に与え得る。他の態様では、ＩＥ３００は、非一意の要素ＩＤフィールド３０２を有し得るが、ＩＥ拡張フィールド（図示せず）を備え得、要素ＩＤフィールド３０２とＩＥ拡張フィールドとの組合せは一意であり、ＩＥ３００は、ＳＴＡの第１のサブセット（たとえば、スケジュールドモードＳＴＡ）にスケジュールドモードＥＤＣＡパラメータセットを搬送するための新たに定義されたまたは一意のＩＥとして識別され得る。たとえば、要素ＩＤフィールド３０２は、多くのＩＥによって共有され得る２５５の値を有し得るが、ＩＥ拡張フィールドは１の値を有し得る。要素ＩＤフィールド３０２中の２５５の値とＩＥ拡張フィールド中の１の値との組合せはＩＥ３００にとって一意であり、前に定義されていない一意のＩＥを示し得る。いくつかの態様では、上記で説明されたＩＥ３００は、スケジュールドモードＥＤＣＡパラメータセットＩＥと呼ばれることがある。
【００５３】
[0057]他の実施形態では、ＩＥ３００は、既存のＩＥがＳＴＡの第１のサブセット（たとえば、スケジュールドモードＳＴＡ）のためのＥＤＣＡパラメータ（たとえば、スケジュールドモードＥＤＣＡパラメータ）を搬送することを示すために、１つまたは複数の新しいフィールド（図示せず）を含む、既存のＥＤＣＡパラメータセットＩＥ以外の既存のＩＥ（たとえば、ＨＥ動作ＩＥ）を再利用し得る。
【００５４】
[0058]長さフィールド３０４は、情報要素３００の長さ、または後続のフィールドの全長を示すために使用され得る。図９に示されている長さフィールド３０４は１オクテット長であり得る。いくつかの実装形態では、長さフィールド３０４は、２、５、または１２オクテット長であり得る。いくつかの実装形態では、長さフィールド３０４は、信号ごとに、または信号のタイプで、ならびに／あるいはサービスプロバイダ間でおよびサービスプロバイダのタイプで長さを変動させるなど、可変長であり得る。
【００５５】
[0059]他の情報フィールド３１０は、要素ＩＤまたは長さ以外の情報要素３００の他の情報を示すために使用され得る。いくつかの態様では、他の情報フィールド３１０中に含まれるフィールドのサイズおよび数は、要素ＩＤフィールド３０２および／または長さフィールド３０４の値に基づき得る。たとえば、要素ＩＤフィールド３０２は超高スループット（ＶＨＴ）情報要素を示し得、他の情報フィールド３１０は、チャネル幅および／またはチャネル中心周波数などのＶＨＴ動作情報を含み得る。
【００５６】
[0060]いくつかの実施形態では、ＡＰ１０４は、ブロードキャスト／マルチキャスト／ユニキャスト送信中で送られ得る管理／アクションフレーム中にＩＥ３００を含め得る。いくつかの態様では、ＳＴＡの第２のサブセット（すなわち、非１１ａｘレガシーモードＳＴＡ）が、認識されない一意の要素ＩＤフィールド３０２、認識されない要素ＩＤフィールド３０２と要素ＩＤ拡張との一意の組合せ、または認識されない、ＳＴＡの第１のサブセット（たとえば、スケジュールドモードＳＴＡ）のためのＥＤＣＡパラメータを含む１つまたは複数のフィールドのため、ＩＥ３００を理解することができないように、上記で説明されたＩＥ３００が送信され得る。いくつかの態様では、ＳＴＡの第１のサブセット（すなわちスケジュールドモードＳＴＡ）は、ＩＥ３００を復号し、ＩＥ３００中に含まれる新しいＥＤＣＡパラメータに従うことが可能であり得る。他の態様では、ＳＴＡの第２のサブセット（すなわち、１１ａｘレガシーモードＳＴＡ）は、ＩＥ３００を復号し、意図しないＩＥ３００を無視することを決定し得、レガシーモードで動作し続け、レガシーＩＥ  ＥＤＣＡパラメータに従うことを決定し得る。
【００５７】
[0061]図４は、ＥＤＣＡパラメータセット情報要素４００の例示的な実装形態を示す。いくつかの態様では、ＡＰ１０４は、ＥＤＣＡパラメータを広告するためにＥＤＣＡパラメータセット要素４００を送信し得る。ＥＤＣＡパラメータセットＩＥ要素４００は、要素識別子（ＩＤ）フィールド３０２と、長さフィールド３０４と、ＥＤＣＡパラメータフィールド４１０とを含む。いくつかの態様では、ＥＤＣＡパラメータフィールド４１０は、スケジュールドモードＳＴＡからのＣＳＭＡベースのＳＵ送信のために使用されるＥＤＣＡパラメータを示す。たとえば、ＥＤＣＡパラメータフィールド４１０は、スケジュールドモードＳＴＡからのＣＳＭＡベースのＳＵ送信のために使用されるＣＷサイズのインジケーションを含み得る。
【００５８】
[0062]いくつかの実施形態では、ＡＰ１０４は、ＳＴＡの第１のサブセット（たとえば、スケジュールドモードＳＴＡ）のみによって復号可能である物理レイヤコンバージェンスプロシージャ（ＰＬＣＰ）プロトコルデータユニット（ＰＰＤＵ）中でＥＤＣＡパラメータセットＩＥ４００を送信することによって、ＳＴＡの第１のサブセットにスケジュールドモードＥＤＣＡパラメータをシグナリングし得る。たとえば、ＡＰ１０４は、スケジュールドモードＥＤＣＡパラメータを搬送するために８０２．１１ａｘ  ＰＰＤＵ中でＥＤＣＡ  ＩＥを送信し得る。８０２．１１ａｘ  ＰＰＤＵは、ＡＰ１０４によってブロードキャスト／マルチキャスト／ユニキャストされ得、ＳＴＡの第２のサブセット（たとえば、レガシーモードＳＴＡ）によって理解／復号され得ない。ＳＴＡの第２のサブセット（たとえば、レガシーモードＳＴＡ）は、次いで８０２．１１ａｘ  ＰＰＤＵを無視し、レガシーまたは非８０２．１１ａｘ  ＰＤＤＵ中で送られるＥＤＣＡ  ＩＥのみに従い得る。
【００５９】
[0063]いくつかの態様では、８０２．１１ａｘ  ＰＰＤＵ中に含まれるＥＤＣＡパラメータセットＩＥ４００は、スケジュールドモードＥＤＣＡパラメータのみを搬送し得る。この実施形態では、ＥＤＣＡパラメータは、ＳＴＡの第１のサブセット（たとえば、スケジュールドモードＳＴＡ）のみによって使用されるべきである。ＳＴＡの第２のサブセット（たとえば、レガシーモードＳＴＡ）はそれを無視し、非１１ａｘ  ＰＰＤＵ中の既存のＩＥのみに従うべきである。他の態様では、８０２．１１ａｘ  ＰＰＤＵ中に含まれるＥＤＣＡパラメータセットＩＥ４００は、スケジュールドモードＥＤＣＡパラメータまたはレガシーモードＥＤＣＡパラメータのいずれかをシグナリングし得る。この実施形態では、たとえば、ＥＤＣＡパラメータセットＩＥ４００中の予約済みビット（図示せず）を使用することによって、それがスケジュールドモードＥＤＣＡのためのものであるのかレガシーモードＥＤＣＡのためのものであるのかを示すためのインジケータが、ＥＤＣＡパラメータセットＩＥ４００中に追加され得る。
【００６０】
[0064]いくつかの実施形態では、ＡＰ１０４は、ＳＴＡの第１のサブセット（スケジュールドモードＳＴＡ）とＳＴＡの第２のサブセット（たとえば、レガシーモードＳＴＡ）の両方によって復号可能である物理レイヤコンバージェンスプロシージャ（ＰＬＣＰ）プロトコルデータユニット（ＰＰＤＵ）中でＥＤＣＡパラメータセットＩＥ４００を送信することによって、ＳＴＡの第１のサブセット（たとえば、スケジュールドモードＳＴＡ）にスケジュールドモードＥＤＣＡパラメータをシグナリングし得る。たとえば、ＡＰ１０４は、スケジュールドモードＥＤＣＡパラメータを搬送するために８０２．１１ａｃ（またはより古い）ＰＰＤＵ中でＥＤＣＡ  ＩＥを送信し得る。これらの実装形態では、ＡＰ１０４は、ＳＴＡの第１のサブセット（たとえば、スケジュールドモードＳＴＡ）のみにスケジュールドモードＥＤＣＡパラメータを搬送するＥＤＣＡパラメータセットＩＥ４００をマルチキャストまたはユニキャストし得る。ＳＴＡの第２のサブセット（たとえば、レガシーモードＳＴＡ）は、受信者アドレスによりＥＤＣＡパラメータセットＩＥ４００を含むＰＰＤＵを受信しないことになる。いくつかの態様では、ＥＤＣＡパラメータセットＩＥ４００をユニキャストまたはマルチキャストするために利用可能であるフレームタイプは、８０２．１１規格（たとえば、８０２．１１ａｘ）において定義され得る。
【００６１】
[0065]いくつかの態様では、ＡＰ１０４はまた、ＳＴＡの第２のサブセットのためのＥＤＣＡパラメータ（たとえば、レガシーモードＥＤＣＡパラメータ）を搬送するＥＤＣＡパラメータセットＩＥ４００をブロードキャストし得る。これらの実装形態では、いくつかの方法が、ＳＴＡの第１のサブセット（たとえば、スケジュールドモードＳＴＡ）のためのＥＤＣＡパラメータが、ＥＤＣＡパラメータセットＩＥ４００中に含まれるレガシーモードＥＤＣＡパラメータによって上書きされるのを防ぐことが望ましいことがある。いくつかの態様では、ＳＴＡの第１のサブセット（たとえば、スケジュールドモードＳＴＡ）は、ブロードキャストされるＥＤＣＡが、（たとえば、８０２．１１規格においてあらかじめ定義された）レガシーモードＳＴＡのみのためのものであり、スケジュールドモードＳＴＡによって無視されるべきであることを知っているように事前プログラムされ得る。他の態様では、ＳＴＡの第１のサブセット（たとえば、スケジュールドモードＳＴＡ）がＥＤＣＡパラメータセットＩＥ４００を無視すべきか否かをＳＴＡの第１のサブセットに伝えるためのインジケータが、ブロードキャストされるＥＤＣＡパラメータセットＩＥ４００中に追加され得る。たとえば、インジケータは、ＥＤＣＡパラメータセットＩＥ４００中の１つまたは複数の予約済みビット（図示せず）を備え得る。
【００６２】
[0066]いくつかの実施形態では、ＳＴＡ１０６は、レガシーモードＥＤＣＡパラメータに基づいてスケジュールドモードＥＤＣＡパラメータを導出し得る。たとえば、スケジュールドモードＥＤＣＡパラメータ（たとえば、ＣＷｍｉｎ）は、レガシーモードでのＥＤＣＡパラメータ（ＣＷｍｉｎ）の値からの定義されたオフセットであり得る。いくつかの態様では、レガシーモードＥＤＣＡからスケジュールドモードＥＤＣＡへの導出は、８０２．１１の規格において定義されているデフォルト関係に基づき得る。いくつかの態様では、ＡＰ１０４は、ビーコンメッセージ中でなど、更新された関係を送出し得る。
【００６３】
[0067]いくつかの実施形態では、ＡＰ１０４は、ＳＴＡの第１のサブセット（たとえば、スケジュールドモードＳＴＡ）のためのＥＤＣＡパラメータ（たとえば、スケジュールドモードＥＤＣＡパラメータ）を搬送するために暗号化を用いたＥＤＣＡパラメータセットＩＥ４００をブロードキャストし得る。ブロードキャストされるＥＤＣＡパラメータセットＩＥ４００情報は暗号化され、非８０２．１１ａｘ  ＰＰＤＵ中で搬送され得る。いくつかの態様では、ＡＰ１０４は、ＳＴＡの第１のサブセット（たとえば、スケジュールドモードＳＴＡ）のみに暗号化鍵を与え得、その場合、ＳＴＡの第１のサブセットは、ＥＤＣＡパラメータセットＩＥ４００を解読することができるが、ＳＴＡの第２のサブセット（たとえば、レガシーモードＳＴＡ）はそれを解読することができない。
【００６４】
[0068]いくつかの実施形態では、ＡＰ１０４は、スケジュールドモードＥＤＣＡパラメータを搬送するために専用リソース中でＥＤＣＡパラメータセットＩＥ４００を送り得る。たとえば、ＡＰ１０４は、専用リソース（たとえば、時間／周波数／空間ストリーム）中でＥＤＣＡパラメータセットＩＥ４００を送り得、ＥＤＣＡパラメータセットＩＥ４００は、ＳＴＡの第１のサブセット（たとえば、スケジュールドモードＳＴＡ）のみによって受信され得る。一態様では、ＡＰ１０４は、非８０２．１１ａｘ  ＳＴＡ動作周波数範囲の外部の周波数チャネルを予約し得、スケジュールドモードＥＤＣＡパラメータを搬送するＥＤＣＡパラメータセットＩＥ４００を送る。ＳＴＡの第１のサブセット（たとえば、スケジュールドモードＳＴＡ）は、次いで、スケジュールドモードＥＤＣＡパラメータを受信するために予約済みチャネルに同調し得る。
【００６５】
[0069]他の実施形態では、デフォルトＥＤＣＡパラメータが、ＳＴＡの第１のサブセット（たとえば、スケジュールドモードＳＴＡ）のために規格化され得る。いくつかの態様では、スケジュールドモードＳＴＡは、それらが任意のルールに基づいてそれらを対象とするＥＤＣＡパラメータを受信しない場合、これらのデフォルトＥＤＣＡパラメータを使用することになる。いくつかの態様では、デフォルトスケジュールドモードＥＤＣＡパラメータは、レガシーモードＥＤＣＡパラメータのためのバックグラウンドアクセスクラス（ＡＣ）のためのものとして定義され得る。
【００６６】
[0070]いくつかの実施形態では、ＥＤＣＡパラメータセットＩＥ４００は、ＣＳＭＡベースのＳＵ  ＵＬ送信を禁止するインジケータを搬送し得る。いくつかの態様では、インジケータは、予約済みＥＤＣＡパラメータ値であり得る（たとえば、ＣＷｍｉｎ＝１０２３は、対応するアクセスカテゴリー（ＡＣ）のためのＣＳＭＡベースのＳＵ  ＵＬ  Ｔｘを禁止することを意味する）。いくつかの態様では、インジケータは、シグナリングされたＥＤＣＡパラメータに加えて（１つまたは複数の）新しいビットを使用することができる。他の態様では、インジケータはまた、適用されるべきそれのための追加の条件を指定し得る（たとえば、禁止は、いくつかのトラフィック識別子（ＴＩＤ）、アクセスカテゴリー（ＡＣ）、情報タイプ（たとえば、バッファステータス報告）、フレームタイプ（たとえば、制御フレーム）、動作モード（たとえば、ＳＵ  ＵＬ  ＭＩＭＯ  Ｔｘ）、ＳＴＡ状態（たとえば、非関連または関連）のみに適用される）。
【００６７】
[0071]いくつかの態様では、ＡＰ１０４は、図３に関して上記で説明されたように、スケジュールドモードＥＤＣＡをシグナリングするために新しいＩＥが定義され、使用され得る場合でも、レガシーモードＳＴＡとスケジュールドモードＳＴＡの両方のためにＥＤＣＡパラメータセットＩＥ４００を使用することを決定し得る。たとえば、シグナリングオーバーヘッドを節約するために、ＡＰ１０４は、システム１００が軽負荷であるとき、ＳＴＡの両方のグループ（たとえば、スケジュールドモードＳＴＡタイプとレガシーモードＳＴＡタイプの両方）のために同じＥＤＣＡパラメータを使用することを決定し得る。この場合、スケジュールドモードＳＴＡがＥＤＣＡパラメータセットＩＥ４００を無視すべきか否かをスケジュールドモードＳＴＡに伝えるためのインジケータがＥＤＣＡパラメータセットＩＥ４００中に追加され得る。たとえば、インジケータは、ＥＤＣＡパラメータセットＩＥ４００中のリザーブビット（図示せず）を備え得る。代替的に、ＥＤＣＡパラメータセットＩＥ４００のみがいくつかのフレームタイプ（たとえば、ビーコン、プローブ／関連付け応答）中に存在する場合、ＥＤＣＡパラメータセットＩＥ４００を使用するようにスケジュールドモードＳＴＡに伝えるために、あらかじめ定義されたルールが８０２．１１において使用され得る。それらのフレームタイプ中の第１のグループのためのＥＤＣＡパラメータをもつ一意のＩＥ（たとえば、ＩＥ３００）を復号する場合、ＳＴＡの第１のサブセット（たとえば、スケジュールドモードＳＴＡ）は、第１のグループのためのＥＤＣＡパラメータに基づいてそれらのＥＤＣＡパラメータを更新すべきである。
【００６８】
[0072]本明細書で説明される実施形態はまた、ＳＴＡ１０６がスケジュールドモードで動作すべきであるのかレガシーモードで動作すべきであるのかを選択することに関する。概して、ＳＴＡの第１のサブセット（たとえば、スケジュールドモードＳＴＡ）は、それらがＵＬ送信のためにＡＰ１０４によってスケジュールされることが可能（たとえば、ＵＬ−ＭＵ対応）である場合、スケジュールドモードＥＤＣＡパラメータを使用すべきである。いくつかの態様では、ＥＤＣＡ選択意思決定者（ＤＭ：decision maker）はＳＴＡ１０６またはＡＰ１０４であり得、それは、ＳＴＡ１０６がスケジュールドモードＥＤＣＡパラメータを使用すべきであるのかレガシーモードＥＤＣＡパラメータを使用すべきであるのかを決定することになる。ＤＭは、いくつかの基準オプションに基づいてＳＴＡ１０６のためにスケジュールドモードＥＤＣＡパラメータを使用することを決定し得る。たとえば、ＤＭは、ＳＴＡ１０６の能力に基づいてそれの決定を行い得る。これらの態様では、ＤＭは、ＡＰ１０４とＳＴＡ１０６の両方が、スケジュールドＵＬ送信のいくつかのタイプ、たとえばＵＬ  ＭＵ−ＭＩＭＯ、ＵＬ  ＯＦＤＭＡを実行する能力を有する場合、スケジュールドモードＥＤＣＡパラメータを使用することを決定する。いくつかの態様では、ＳＴＡ１０６は、ＡＰ１０４のブロードキャストまたはプローブ／関連付け応答中の情報に基づいてＡＰ１０４能力を知ることができる。いくつかの態様では、ＡＰ１０４は、ＳＴＡ１０６のプローブ／関連付け要求中の情報に基づいてＳＴＡ１０６の能力を知ることができる。
【００６９】
[0073]他の実施形態では、ＤＭは、レガシーモード送信結果が性能特性を満たすかどうかに基づいて、それの決定を行い得る。たとえば、ＤＭは、ＳＴＡ１０６のレガシーモード送信が不十分な性能を有していた場合、スケジュールドモードＥＤＣＡパラメータを使用することを決定する。一例では、ＳＴＡ１０６がＹ秒中にＸ個未満のフレームを送っている場合、レガシーモードＥＤＣＡを使用するＳＴＡ１０６は、スケジュールドモードＥＤＣＡに切り替え、レガシーモード送信のためのバックオフを終了し得る。
【００７０】
[0074]いくつかの実施形態では、ＤＭは、スケジュールドモード送信結果が性能特性を満たすかどうか基づいて、それの決定を行い得る。いくつかの態様では、ＤＭは、成功したスケジュールドＵＬ送信（たとえば、ＤＬ  ＡＣＫが、対応するスケジュールドＵＬ送信のために送信または受信された）後にのみ、スケジュールドモードＥＤＣＡパラメータを使用することを決定する。このプロセスは、双方が実際にスケジュールドモード能力を有することを検証し得る。いくつかの態様では、ＳＴＡ１０６は、成功したスケジュールドモード送信より前にレガシーモードＥＤＣＡパラメータを使用し得る。
【００７１】
[0075]ＳＴＡ１０６がＤＭである場合、それは、いくつかの方法でそれのＥＤＣＡ選択決定をＡＰ１０４に通知し得る。いくつかの態様では、ＳＴＡ１０６は暗黙的シグナリングを使用し得る。たとえば、ＡＰ１０４とＳＴＡ１０６の両方が同じＥＤＣＡ選択基準を実行することになるようなルールが規格において定義され得る。この実装形態では、ＡＰ１０４は、ＳＴＡ１０６によって通知されることなしにＳＴＡ１０６の決定を知ることになる。いくつかの態様では、８０２．１１規格は、ＡＰ１０４とＳＴＡ１０６の両方がスケジュールドモードＵＬ送信をサポートする場合、ＳＴＡ１０６がスケジュールドモードＥＤＣＡパラメータを使用すべきであるというルールを定義する。したがって、ＡＰ１０４は、追加のシグナリングなしにＳＴＡ１０６の能力を検査することによって、ＳＴＡ１０６の決定を暗黙的に知り得る。いくつかの態様では、ＥＤＣＡ選択基準は、複数のオプションがある場合、ＡＰ１０４によって規格化またはブロードキャストされ得、したがって、ＡＰ１０４とＳＴＡ１０６の両方は同じ基準を使用することになる。
【００７２】
[0076]いくつかの実施形態では、ＳＴＡ１０６は、それのＥＤＣＡ選択決定をＡＰ１０４に通知するために明示的シグナリングを使用し得る。たとえば、ＳＴＡ１０６は、ＳＴＡ１０６のＥＤＣＡ選択決定をＡＰ１０４に明示的に通知するためのインジケータを送り得る。一態様では、インジケータは、既存の受信機動作モードインジケータ（ＲＯＭＩ）ＨＥ制御フィールド中の、定義されたＥＤＣＡ動作ＨＥ制御フィールド中の、アクセスポイントに送られたフレーム中に含まれる動作モードインジケータ（ＯＭＩ）Ａ制御フィールド中のアップリンクマルチユーザディセーブルフィールド中の、またはいくつかの管理フレーム、たとえば、プローブ／関連付け要求中の１ビットインジケータを備え得る。いくつかの態様では、インジケータは、それがスケジュールドモードＥＤＣＡパラメータを使用することを希望することを暗示する、ＳＴＡ１０６のバッファステータス報告であり得る。他の態様では、インジケータはまた、選択されたＥＤＣＡパラメータを使用するために追加の条件（たとえば、いくつかのＴＩＤ、情報タイプ（たとえば、バッファステータス報告）、フレームタイプ（たとえば、制御フレーム）、動作モード（たとえば、ＳＵ  ＵＬ  ＭＩＭＯ  Ｔｘ）、ＳＴＡ状態（たとえば、非関連または関連）のみのために使用する）を指定し得る。いくつかの態様では、インジケータを受信した後に、ＡＰ１０４は、ＥＤＣＡ選択決定および／または追加の条件を承認／拒否／修正し得る。
【００７３】
[0077]ＡＰ１０４がＤＭである場合、それは、いくつかの方法でそれのＥＤＣＡ選択決定をＳＴＡ１０６に通知し得る。いくつかの態様では、ＡＰ１０４は、ＳＴＡ１０６に通知するために暗黙的シグナリングを使用し得る。たとえば、ＡＰ１０４は、いくつかのフレームタイプ中で、ＳＴＡの第１のサブセット（たとえば、スケジュールドモードＳＴＡ）またはＳＴＡの第２のサブセット（たとえば、レガシーモードＳＴＡ）のために指定されたＥＤＣＡ  ＩＥのみをＳＴＡ１０６に送り得る（たとえば、両方には送らない）。いくつかの態様では、ＡＰ１０４は、スケジュールドモードＥＤＣＡパラメータを使用することをＳＴＡ１０６に暗黙的に通知するために、プローブ／関連付け応答またはアクションフレーム中でスケジュールドモードＳＴＡのためのＥＤＣＡ  ＩＥのみを送り得る。
【００７４】
[0078]いくつかの実施形態では、ＡＰ１０４は、それのＥＤＣＡ選択決定をＳＴＡ１０６に通知するために明示的シグナリングを使用し得る。たとえば、ＡＰ１０４は、ＡＰ１０４ＥＤＣＡ選択決定をＳＴＡ１０６に明示的に通知するためのインジケータを送る。いくつかの態様では、インジケータは、潜在的ＥＤＣＡ構成ＨＥ制御フィールド中の１ビットインジケータを備える。他の態様では、インジケータはまた、選択されたＥＤＣＡパラメータを使用するために追加の条件（たとえば、いくつかのＴＩＤ、情報タイプ（たとえば、バッファステータス報告）、フレームタイプ（たとえば、制御フレーム）、動作モード（たとえば、ＳＵ  ＵＬ  ＭＩＭＯ  Ｔｘ）、ＳＴＡ状態（たとえば、非関連または関連）のみのために使用する）を指定し得る。インジケータを受信した後に、ＳＴＡ１０６は、ＥＤＣＡ選択決定および／または追加の条件を承認／拒否／修正し得る。
【００７５】
[0079]さらに、本明細書で説明される実施形態はまた、ＳＴＡの第１のサブセット（たとえば、スケジュールドモードＳＴＡ）がスケジュールドモードで動作することからレガシーモードで動作することに遷移することを可能にするオプションに関する。いくつかの態様では、スケジュールドモードＳＴＡ１０６は、スケジュールドモードＥＤＣＡパラメータを選択することが不十分な性能を与える場合、レガシーモードＥＤＣＡパラメータに戻り得る。これらの態様では、レガシーモードへのフォールバックは、次いで、スケジュールドモードＳＴＡ１０６により良い性能を与え、スループットを増加させ得る。いくつかの態様では、不十分な性能は、（バッファデータをもつ）ＳＴＡ１０６が「Ｘ」秒後のＵＬ送信のためにスケジュールされないと決定することによって決定され得る。たとえば、ＡＰ１０４が、ＡＰ１０４のＥＤＣＡ選択決定をＳＴＡ１０６に通知するインジケータに対する即時応答をＳＴＡ１０６から受信しない場合、ＡＰ１０４は、前に選択されたＥＤＣＡパラメータを変更するか、または第２のＥＤＣＡパラメータを選択し得る。いずれの場合も、ＡＰ１０４は、ＡＰ１０４の後続のＥＤＣＡ選択決定をＳＴＡ１０６に明示的に通知するためのインジケータを送り得る。いくつかの態様では、即時応答は、「Ｘ」秒を持続する時間ウィンドウを指すことがある。別の例では、第２のＥＤＣＡパラメータは、ＡＰ１０４からＳＴＡ１０６に送信されたインジケーションに応答してＳＴＡ１０６から即時応答を受信してから経過した時間に基づいて選択され得る。いくつかの態様では、不十分な性能は、ＳＴＡ１０６の非スケジュール送信が「Ｙ」回の試みの間失敗すると決定することによって決定され得る。たとえば、ＡＰ１０４は、第２のワイヤレスデバイスから第１のワイヤレスデバイスへの失敗した前の送信に基づいて、前に選択されたＥＤＣＡパラメータを変更するか、または第２のＥＤＣＡパラメータを選択し得る。いくつかの態様では、不十分な性能は、「Ｚ」回の間、インジケータ、またはＵＬスケジューリング要求、たとえば、バッファステータス報告を送った後にＳＴＡ１０６がスケジュールされないと決定することによって決定され得、ここで、「Ｚ」は、インジケータが送られる回数を指すことがある。たとえば、ＡＰ１０４が「Ｚ」回ＳＴＡ１０６にインジケータを送信し、ＳＴＡ１０６が応答を与えない場合、ＡＰ１０４は、新しいＥＤＣＡを選択するか、または現在のＥＤＣＡを変更し得る。
【００７６】
[0080]いくつかの態様では、上記で説明されたＸ、Ｙ、およびＺの値は、いくつかの方法で決定され得る。いくつかの態様では、Ｘ、Ｙ、およびＺの値は、規格（たとえば、８０２．１１の規格）において定義され得る。いくつかの態様では、Ｘ、Ｙ、およびＺの値は、ＡＰ１０４によって決定され、ＡＰ１０４によってＳＴＡ１０６に送られる。ＡＰ１０４は、対象とするＳＴＡ１０６のための推定されたスケジューリングレイテンシに基づいてＸ／Ｙ／Ｚを決定し得、たとえば、Ｘは、より高い負荷の場合、増加し得る。いくつかの態様では、ＡＰ１０４は、対象とするＳＴＡ１０６にＸ／Ｙ／Ｚをブロードキャスト／マルチキャスト／ユニキャストし得る。いくつかの態様では、Ｘ、Ｙ、およびＺの値はＳＴＡ１０６によって決定される。いくつかの実施形態では、ＳＴＡ１０６は、それのトラフィックのレイテンシ要件に基づいて、Ｘ／Ｙ／Ｚを決定および更新し得る。いくつかの態様では、ＳＴＡ１０６は、それのフレーム、たとえば、バッファステータス報告上にＸ／Ｙ／Ｚをピギーバックし得る。いくつかの態様では、Ｘ、Ｙ、およびＺの値は、ＡＰ１０４とＳＴＡ１０６との間のネゴシエーションに基づいて決定される。たとえば、一方の側は、示唆されたＸ／Ｙ／Ｚを他方に送ることができ、他方は、さらに、それを受け付け／拒否／修正することができる。
【００７７】
[0081]いくつかの実施形態では、ＳＴＡの第１のサブセット（たとえば、スケジュールドモードＳＴＡ）は、Ｘ／Ｙ／Ｚをカウントするためのタイマー／カウンタを有することができる。いくつかの態様では、ＳＴＡ１０６は、１つまたは複数の条件に基づいてタイマー／カウンタを０にリセットし得る。たとえば、ＳＴＡ１０６は、ＳＴＡ１０６がスケジュールドモードＥＤＣＡを使用すること（たとえば、ＡＰ１０４またはＳＴＡ１０６によって行われた決定）を知った後、タイマー／カウンタを０にリセットし得る。他の態様では、ＳＴＡ１０６は、ＳＴＡ１０６が起動した後、タイマー／カウンタを０にリセットし得る。他の態様では、ＳＴＡ１０６は、ＳＴＡ１０６がそれのＵＬ送信のためのトリガフレームスケジューリングを受信した後、タイマー／カウンタを０にリセットし得る。他の態様では、ＳＴＡ１０６は、任意のＵＬ送信のためのＳＴＡ１０６のトリガフレームスケジューリング後、タイマー／カウンタを０にリセットし得る。トリガフレームは、ＵＬ  ＯＦＤＭＡランダムアクセスをトリガするトリガフレームであり得る。他の態様では、ＳＴＡ１０６は、ＳＴＡ１０６がスケジュールドＵＬ送信を送信したか、またはスケジュールドＵＬ送信を送信し、ＡＣＫメッセージを得た後、タイマー／カウンタを０にリセットし得る。他の態様では、ＳＴＡ１０６は、ＳＴＡ１０６が非スケジュールドＵＬ送信を送信したか、または非スケジュールドＵＬ送信を送信し、ＡＣＫメッセージを得た後、タイマー／カウンタを０にリセットし得る。さらに、ＡＰ１０４は、レガシーモードＥＤＣＡへのフォールバックを禁止するための「フォールバック禁止」インジケータを送り得る。ＡＰ１０４は、対象とするＳＴＡ１０６にこのインジケータをブロードキャスト／マルチキャスト／ユニキャストし得る。インジケータを受信するＳＴＡ１０６は、このインジケータを受信した後にレガシーモードＥＤＣＡパラメータに戻らないことがある。
【００７８】
[0082]いくつかの実施形態では、レガシーモードＥＤＣＡへのフォールバックは、いくつかのトラフィックに制限され得る。たとえば、ＳＴＡ１０６は、いくつかのトラフィックのためにレガシーモードＥＤＣＡを使用し得、他のトラフィックは、依然としてスケジュールドモードＥＤＣＡを使用し得る。いくつかの態様では、トラフィック制限は、いくつかのトラフィック／情報タイプ、またはＴＩＤのみに適用され得る。たとえば、ボイスおよびバッファステータス報告のみがレガシーモードＥＤＣＡ中で送られ得る。いくつかの態様では、トラフィック制限は、いくつかのフレームタイプのみに適用され得る。たとえば、制御フレームのみがレガシーモードＥＤＣＡ中で送られ得る。いくつかの態様では、トラフィック制限は、Ｘ秒の間スケジュールされないＴＩＤのみに適用され得る。この場合、フォールバック決定はＴＩＤごとであり、ＳＴＡ１０６は、フォールバックが各ＴＩＤについて行われるべきであるかどうかを決定するためにＴＩＤごとにタイマーを必要とする。
【００７９】
[0083]図５は、ワイヤレス通信システムにおけるワイヤレス通信の方法５００の実装形態のフローチャートを示す。方法５００は、図３〜図４に関して説明されたＥＤＣＡパラメータ、情報要素３００、またはＥＤＣＡパラメータセットＩＥ４００のいずれをも生成および／または送信するために使用され得る。いくつかの態様では、ＥＤＣＡパラメータ、情報要素３００、またはＥＤＣＡパラメータセットＩＥ４００は、ＡＰ１０４によって送信され得る。さらに、図２に示されているワイヤレスデバイス２０２は、上記で説明されたように、ＡＰ１０４またはＳＴＡ１０６のより詳細な図を表し得る。したがって、一実装形態では、方法５００におけるステップのうちの１つまたは複数が、図２のプロセッサ２０４、送信機２１０、およびＨＥＷ構成要素２５０など、プロセッサおよび／または送信機によって実行されるか、またはそれらに関連して実行され得るが、本明細書で説明されるステップのうちの１つまたは複数を実装するために他の構成要素が使用され得ることを当業者は諒解されよう。方法ステップは、ある順序で行われるものとして説明され得るが、ステップは並べ替えられ、省略され得、および／または追加のステップが追加され得る。
【００８０】
[0084]ブロック５０２において、方法５００は、アクセスポイントにおいて、複数の局のうちの局の第１のサブセットのための拡張分散チャネルアクセス（ＥＤＣＡ）パラメータを選択することを含み得、局の第１のサブセットは、マルチユーザアップリンク送信を送信することが可能である。そのような選択することは、図２に示されているワイヤレスデバイス２０２のプロセッサ２０４またはＨＥＷ構成要素２５０によって実行され得る。ブロック５０４において、方法５００は、ＥＤＣＡパラメータを含む情報要素を生成することを含み得る。たとえば、ＡＰ１０４は情報要素３００またはＥＤＣＡパラメータセットＩＥ４００を生成し得る。そのような生成することは、図２に示されているワイヤレスデバイス２０２のプロセッサ２０４またはＨＥＷ構成要素２５０によって実行され得る。ブロック５０６において、方法５００は、情報要素が局の第１のサブセットによって復号可能であり、複数の局のうちの局の第２のサブセットによって復号可能でないような情報要素を送信することを含み得る。そのような送信することは、図２に示されているワイヤレスデバイス２０２の送信機２１０によって実行され得る。
【００８１】
[0085]上記で説明された方法の様々な動作は、（１つまたは複数の）様々なハードウェアおよび／またはソフトウェア構成要素、回路、および／または（１つまたは複数の）モジュールなど、それらの動作を実行することが可能な任意の好適な手段によって実行され得る。概して、図に示されているどの動作も、その動作を実行することが可能な対応する機能的手段によって実行され得る。
【００８２】
[0086]本開示に関連して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラまたは状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成として実装され得る。
【００８３】
[0087]１つまたは複数の態様では、説明された機能は、ハードウェア、ソフトウェア、ファームウェア、またはそれらの任意の組合せで実装され得る。ソフトウェアで実装される場合、機能は、１つまたは複数の命令またはコードとして、コンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ここで、ディスク（disk）は、通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体）を備え得る。さらに、いくつかの態様では、コンピュータ可読媒体は一時的コンピュータ可読媒体（たとえば、信号）を備え得る。上記の組合せもコンピュータ可読媒体の範囲内に含まれるべきである。
【００８４】
[0088]本明細書で開示される方法は、説明された方法を達成するための１つまたは複数のステップまたはアクションを備える。方法のステップおよび／またはアクションは、特許請求の範囲から逸脱することなく、互いに交換され得る。言い換えれば、ステップまたはアクションの特定の順序が指定されていない限り、特定のステップおよび／またはアクションの順序および／または使用は、特許請求の範囲から逸脱することなく修正され得る。
【００８５】
[0089]説明された機能は、ハードウェア、ソフトウェア、ファームウェア、またはそれらの任意の組合せで実装され得る。ソフトウェアで実装される場合、機能は１つまたは複数の命令としてコンピュータ可読媒体上に記憶され得る。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用されるディスク（disk）およびディスク（disc）は、コンパクトディスク（disc）（ＣＤ）、レーザーディスク（disc）、光ディスク（disc）、デジタル多用途ディスク（disc）（ＤＶＤ）、フロッピーディスク（disk）、およびＢｌｕ−ｒａｙ（登録商標）ディスク（disc）を含み、ここで、ディスク（disk）は、通常、データを磁気的に再生し、ディスク（disc）は、データをレーザーで光学的に再生する。
【００８６】
[0090]したがって、いくつかの態様は、本明細書で提示された動作を実行するためのコンピュータプログラム製品を備え得る。たとえば、そのようなコンピュータプログラム製品は、本明細書で説明された動作を実行するために１つまたは複数のプロセッサによって実行可能である命令を記憶した（および／または符号化した）コンピュータ可読媒体を備え得る。いくつかの態様では、コンピュータプログラム製品はパッケージング材料を含み得る。
【００８７】
[0091]ソフトウェアまたは命令はまた、伝送媒体を介して送信され得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、送信媒体の定義に含まれる。
【００８８】
[0092]さらに、本明細書で説明された方法および技法を実行するためのモジュールおよび／または他の適切な手段は、適用可能な場合にユーザ端末および／または基地局によってダウンロードされ、および／または他の方法で取得され得ることを諒解されたい。たとえば、そのようなデバイスは、本明細書で説明された方法を実行するための手段の転送を可能にするためにサーバに結合され得る。代替的に、本明細書で説明された様々な方法は、ユーザ端末および／または基地局が記憶手段（たとえば、ＲＡＭ、ＲＯＭ、コンパクトディスク（ＣＤ）またはフロッピーディスクなどの物理記憶媒体など）をデバイスに結合するかまたは与えると様々な方法を得ることができるように、記憶手段によって提供され得る。その上、本明細書で説明された方法および技法をデバイスに提供するための任意の他の好適な技法が利用され得る。
【００８９】
[0093]特許請求の範囲は、上記で示された厳密な構成および構成要素に限定されないことを理解されたい。上記で説明された方法および装置の構成、動作および詳細において、特許請求の範囲から逸脱することなく、様々な改変、変更および変形が行われ得る。
【００９０】
[0094]上記は本開示の態様を対象とするが、本開示の他の態様およびさらなる態様は、それの基本的範囲から逸脱することなく考案され得、それの範囲は以下の特許請求の範囲によって決定される。
【図１】
2019509658.tif 000003
【図２】
2019509658.tif 000004
【図３】
2019509658.tif 000005
【図４】
2019509658.tif 000006
【図５】
2019509658.tif 000007
【国際調査報告】
2019509658.tif 000008
2019509658.tif 000009
2019509658.tif 000010